(57)【要約】【課題】  各種の窓装置に適用することができ、既存の窓装置も容易に電動化することができ、コストの低減及び意匠性の向上が図れる窓装置の電動ユニット及び窓装置を提供する【解決手段】  建物の開口部に取付けられる上枠３ａ、下枠３ｂ及び左右の縦枠３ｃ，３ｄからなる枠体３と、該枠体３内に回動開閉自在に設けられた遮蔽体４と、該遮蔽体４を開閉するリンク機構５とを備えた各種の窓装置１に適用可能な電動ユニット６であって、前記枠体３の室内面に取付けられるホルダ部７と、該ホルダ部７に回動自在に設けられ各種の窓装置１のリンク機構５に対応した動きを与えるアーム８を有するウォームホイール９と、該ウォームホイール９に噛合するウォームギヤ１０を回転駆動する電動部１１とを備えている。【選択図】          図１
2005089980.tif 000002
【特許請求の範囲】
【請求項１】
建物の開口部に取付けられる上枠、下枠及び左右の縦枠からなる枠体と、該枠体内に回動開閉自在に設けられた遮蔽体と、該遮蔽体を開閉するリンク機構とを備えた各種の窓装置に適用可能な電動ユニットであって、前記枠体の室内面に取付けられるホルダ部と、該ホルダ部に回動自在に設けられ各種の窓装置のリンク機構に対応した動きを与えるアームを有するウォームホイールと、該ウォームホイールに噛合するウォームギヤを回転駆動する電動部とを備えていることを特徴とする窓装置の電動ユニット。
【請求項２】
建物の開口部に取付けられる上枠、下枠及び左右の縦枠からなる枠体と、該枠体内に回動開閉自在に設けられた遮蔽体と、該遮蔽体を開閉するリンク機構と、該リンク機構を駆動する電動ユニットとを備えた窓装置であって、前記電動ユニットは、前記枠体の室内面に取付けられるホルダ部と、該ホルダ部に回動自在に設けられ前記リンク機構に対応した動きを与えるアームを有するウォームホイールと、該ウォームホイールに噛合するウォームギヤを回転駆動する電動部とを備えていることを特徴とする窓装置。
【発明の詳細な説明】
【技術分野】
【０００１】
本発明は、各種の窓装置に適用可能な電動ユニット及び該電動ユニットを備えた窓装置に関するものである。
【背景技術】
【０００２】
窓装置としては、建物の開口部に取付けられる上枠、下枠及び左右の縦枠からなる枠体と、該枠体内に回動開閉自在に設けられた遮蔽体と、該遮蔽体をリンク機構を介して開閉する操作部とを備えた各種の窓装置が知られている。この種の窓装置としては、例えばガラスルーバー窓、ダブルガラスルーバー窓、オーニング窓、たてすべり窓があり、これらは装飾窓とも呼ばれている。
【０００３】
これらの窓装置は、手の届き難い高所に取付けられる場合があり、その場合、例えば前記操作部に遠隔操作部材であるチェーンを取付け、該チェーンを介して操作部を遠隔操作し、遮蔽体であるガラスルーバーや障子の開閉を行うようにしている（例えば、特開２００３−１８４４０２号公報参照）。
【０００４】
【特許文献１】特開２００３−１８４４０２号公報
【発明の開示】
【発明が解決しようとする課題】
【０００５】
しかしながら、前記窓装置においては、遠隔操作部材であるチェーンが垂れ下がるため、チェーンが邪魔で、意匠性も悪いという問題がある。特に、複数の窓装置を高所に取付ける場合、前記問題が顕著になる。なお、前記操作部を電動化する方法もあるが、窓種によって前記リンク機構の動きが異なるため、窓種別に電動駆動部を設計製作する必要があり、コストの増大を招く問題があった。また、既存の窓装置を電動化するのは大変であった。
【０００６】
本発明は、上記事情を考慮してなされたものであり、各種の窓装置に適用することができ、既存の窓装置も容易に電動化することができ、コストの低減及び意匠性の向上が図れる窓装置の電動ユニット及び窓装置を提供することを目的とする。
【課題を解決するための手段】
【０００７】
本発明のうち、請求項１の発明は、建物の開口部に取付けられる上枠、下枠及び左右の縦枠からなる枠体と、該枠体内に回動開閉自在に設けられた遮蔽体と、該遮蔽体を開閉するリンク機構とを備えた各種の窓装置に適用可能な電動ユニットであって、前記枠体の室内面に取付けられるホルダ部と、該ホルダ部に回動自在に設けられ各種の窓装置のリンク機構に対応した動きを与えるアームを有するウォームホイールと、該ウォームホイールに噛合するウォームギヤを回転駆動する電動部とを備えていることを特徴とする。
【０００８】
請求項２の発明は、建物の開口部に取付けられる上枠、下枠及び左右の縦枠からなる枠体と、該枠体内に回動開閉自在に設けられた遮蔽体と、該遮蔽体を開閉するリンク機構と、該リンク機構を駆動する電動ユニットとを備えた窓装置であって、前記電動ユニットは、前記枠体の室内面に取付けられるホルダ部と、該ホルダ部に回動自在に設けられ前記リンク機構に対応した動きを与えるアームを有するウォームホイールと、該ウォームホイールに噛合するウォームギヤを回転駆動する電動部とを備えていることを特徴とする。
【発明の効果】
【０００９】
本発明によれば、建物の開口部に取付けられる上枠、下枠及び左右の縦枠からなる枠体と、該枠体内に回動開閉自在に設けられた遮蔽体と、該遮蔽体を開閉するリンク機構とを備えた各種の窓装置に適用可能な電動ユニットであって、前記枠体の室内面に取付けられるホルダ部と、該ホルダ部に回動自在に設けられ各種の窓装置のリンク機構に対応した動きを与えるアームを有するウォームホイールと、該ウォームホイールに噛合するウォームギヤを回転駆動する電動部とを備えているため、各種の窓装置に適用することができ、既存の窓装置も容易に電動化することができ、コストの低減及び意匠性の向上が図れる。
【００１０】
請求項２の発明によれば、建物の開口部に取付けられる上枠、下枠及び左右の縦枠からなる枠体と、該枠体内に回動開閉自在に設けられた遮蔽体と、該遮蔽体を開閉するリンク機構と、該リンク機構を駆動する電動ユニットとを備えた窓装置であって、前記電動ユニットは、前記枠体の室内面に取付けられるホルダ部と、該ホルダ部に回動自在に設けられ前記リンク機構に対応した動きを与えるアームを有するウォームホイールと、該ウォームホイールに噛合するウォームギヤを回転駆動する電動部とを備えているため、各種の窓装置に適用することができ、既存の窓装置も容易に電動化することができ、コストの低減及び意匠性の向上が図れる。
【発明を実施するための最良の形態】
【００１１】
以下に、本発明を実施するための最良の形態について、添付図面を基に詳述する。図１は本発明をガラスルーバー窓に適用した実施の形態を示す概略的縦断面図、図２は同概略的横断面図、図３は電動ユニットの取付座を示す図、図４は電動ユニットを示す図で、（ａ）は縦断面図、（ｂ）は正面図、図５は電動ユニットのホルダ部組立図である。
【００１２】
図１ないし図２において、１は窓装置（好ましくは装飾窓）の一例であるガラスルーバー窓で、このガラスルーバー窓１は建物の躯体２の開口部に取付けられる上枠３ａ、下枠３ｂ及び左右の縦枠３ｃ，３ｄからなる枠体（サッシ枠）３と、該枠体３内に上下方向に多段に配置されると共にそれぞれ回動開閉自在に設けられた遮蔽体である複数枚のガラスルーバー４と、これらガラスルーバー４を連動させて同時に開閉するリンク機構５とを備えている。
【００１３】
前記ガラスルーバー窓１は手の届き難い高所に取付けられている。このガラスルーバー窓１には各種の窓装置に適用可能な電動ユニット６が取付けられている。前記ガラスルーバー窓１自体の構成は既存のものと略同じであるため、その詳細な説明は省略することとし、電動ユニット６の構成について詳述する。この電動ユニット６は、前記枠体３の室内面具体的には左右何れかの縦枠（図示例では右側）３ｄの室内面に取付けられるホルダ部７と、該ホルダ部７に回動自在に設けられ各種の窓装置のリンク機構（図示例ではガラスルーバー窓用のリンク機構）に対応した動きを与えるアーム８を有するウォームホイール９と、該ウォームホイール９に噛合するウォームギヤ１０を回転駆動する電動部１１とを備えている。
【００１４】
既存のガラスルーバー窓に電動ユニット６を取付ける場合、前記ホルダ部７は前記一方の縦枠３ｄの室内面に取付座板（取付スぺーサともいう）１２を介して取付けられることが好ましい。既存のガラスルーバー窓の縦枠２ｄの室内面、具体的には縦枠２ｄに形成されたリブ１３の室内面には手動式の操作部（オペレータ）が取付けられ、当該リブ１３には操作部用の図示しない開口部及び取付孔が設けられている。また、リブ１３には補強用の裏板１４が取付けられている。前記取付座板１２には、図３に示すように、前記リブ１３の開口部に対応する開口部１５と、前記取付孔に固着具であるネジ（ビス）１６を螺入して取付座板１２を固定するための孔部１７と、取付座板１２に対してホルダ部７を固定するためのネジ１８を螺入するための雌ネジ孔１９が設けられている。
【００１５】
ホルダ部７は前記取付座板１２と対応する幅で形成されており、その取付座板１２に対向する開口端の上部と下部には取付座板１２にネジ１８で固定するためのフランジ２０が形成されている。前記ホルダ部７内には、ウォームホイール９が支軸２１を介して垂直回動自在に取付けられていると共に、ウォームホイール９と噛合するウォームギヤ１０を有するウォームシャフト２２が上下方向に配置された状態で両端の軸受２３を介して回転自在に取付けられている。
【００１６】
ホルダ部７の上下何れか一方の端部（図示例では上端部）には、図４ないし図５にも示すように、電動部であるギヤードモータ（ギヤ付モータ）１１がモータスタンド２４を介して取付けられ、該ギヤードモータ１１の回転軸２５とウォームシャフト２２の一端とがカップリング２６を介して連結されている。ウォームシャフト２２の他端（図示例では下端）には手動でウォームシャフト２２を回すための停電時手動用の回転摘み２７が係合により着脱自在に取付けられている。電動部（ギヤードモータ）１１はホルダ部７の幅の略２倍の幅を有し、該電動部１１の片側半分の位置に対応するようにホルダ部７が偏心して配置されており、このホルダ部７と対応するように前記ウォームシャフト２２が電動部１１の軸心よりも偏心して設けられている。
【００１７】
図２の例では、右側の縦枠３ｄに電動ユニット６が取付けられ、電動部１１が額縁２８と干渉しないように電動部１１に対してホルダ部７が右側に寄せて配置されている。電動ユニット６が左側の縦枠３ｃに取付けられる場合には、図５の仮想線で示すようにホルダ部７の他端に電動部１１を取付けることにより電動部１１に対してホルダ部７を左側に寄せて配置することができる。このようにホルダ部７の上下端部の何れかに電動部１１を選択的に取付可能とすることにより簡単な構造で左右勝手に容易に対応できるようになっている。図示例の場合、ホルダ部７の下端部に電動部１１を取付けたなら、ホルダ部７を上下逆になるよう１８０°回転させて取付ければ良い。また、この場合、図１０に示すようにアーム８はＲ側（右側）用からＬ側（左側）用に取替え、取付座板（取付スぺーサ）１２もホルダ部７と同様に１８０°回転させて取付ければ良い。
【００１８】
前記アーム８は、ウォームホイール９の回転をガラスルーバー窓１のリンク機構５の運動方向に変換するもので、図示例ではウォームホイール９に固定された第１アーム８ａと、該第１アーム８ａに回動自在に軸支された第２アーム８ｂとからなり、屈曲可能になっている。アーム８は、該アーム８の先端部（図示例では第２アーム８ｂの先端部）が既存の手動式操作部のアームと同様に所定の軌跡２９で動くように設計されている。前記電動ユニット６は、図９ないし図１０に示すようにアーム８を替えることにより複数種類の窓装置（装飾窓）例えばガラスルーバー窓１、ダブルガラスルーバー窓１Ａ、オーニング窓１Ｂ及びたてすべり窓（高所たてすべり窓ともいう）１Ｃに適用できるようになっている。
【００１９】
図９は電動ユニットシステムの構成を示す図、図１０は電動ユニットシステムの仕様を説明する図である。アーム８としては、各窓種に対応したものすなわちガラスルーバー窓用のアーム、ダブルガラスルーバー窓用のアーム、オーニング窓用のアーム及びたてすべり窓用のアームがそれぞれ右側用及び左側用に分けて製作されている。また、この場合、取付座板１２も、各窓種に対応したものが製作されている。なお、ガラスルーバー窓とダブルガラスルーバー窓には共通の取付座板が使用されるようになっている。オーニング窓用の取付座板はそのままの状態で右側用と左側用に使用されるようになっており、たてすべり窓用の取付座板は表裏を反対にすることにより右側用と左側用に使用されるようになっている。
【００２０】
前記ホルダ部７には該ホルダ部７及び電動部１１を覆う左右に分割可能なカバー材３０が取付けられ、該カバー材３０内には商用交流電源から制御用及びモータ駆動用の直流電源に変換する電源回路を有する電源基板３１及びリモコン（リモートコントロール装置）３６（図９参照）からの赤外線信号（出力信号）を受信してギヤードモータや赤色ＬＥＤの制御を行う制御回路を有する制御基板３２が設けられている。また、前記カバー材３０の正面部にはリモコン３６からの赤外線信号を受信する受光部３３、ガラスルーバー窓１の開時に点灯し、閉時に消灯、エラー時に点滅する赤色ＬＥＤ３４、押している間のみガラスルーバー窓１を強制的に閉動作させる閉スイッチ３５が設けられている。電源基板３１からはプラグを有する電源コードが引き出され、近傍に設けられた商用交流電源のコネクタに接続されている（図示省略）。前記リモコン３６は、セキュリティーのため窓種毎にＩＤ登録ができ、且つ窓種を選択することにより一台で複数種類の窓装置に共通に使用できるようになっている。
【００２１】
以上の構成からなる窓装置の電動ユニット６によれば、建物の躯体２の開口部に取付けられる上枠３ａ、下枠３ｂ及び左右の縦枠３ｃ，３ｄからなる枠体３と、該枠体３内に回動開閉自在に設けられた遮蔽体４と、該遮蔽体４を開閉するリンク機構５とを備えた各種の窓装置１に適用可能な電動ユニットであって、前記枠体３の室内面に取付けられるホルダ部７と、該ホルダ部７に回動自在に設けられ各種の窓装置１のリンク機構５に対応した動きを与えるアーム８を有するウォームホイール９と、該ウォームホイール９に噛合するウォームギヤ１０を回転駆動する電動部１１とを備えているため、各種の窓装置１に適用することができ、既存の窓装置も容易に電動化することができ、コストの低減及び意匠性の向上が図れる。
【００２２】
また、前記窓装置（例えばガラスルーバー窓）１によれば、建物の躯体２の開口部に取付けられる上枠３ａ、下枠３ｂ及び左右の縦枠３ｃ，３ｄからなる枠体３と、該枠体３内に回動開閉自在に設けられた遮蔽体（例えばガラスルーバー）４と、該遮蔽体４を開閉するリンク機構５と、該リンク機構５を駆動する電動ユニット６とを備えた窓装置であって、前記電動ユニット６は、前記枠体３の室内面に取付けられるホルダ部７と、該ホルダ部７に回動自在に設けられ前記リンク機構５に対応した動きを与えるアーム８を有するウォームホイール９と、該ウォームホイール９に噛合するウォームギヤ１０を回転駆動する電動部１１とを備えているため、各種の窓装置に適用することができ、既存の窓装置（例えばガラスルーバー窓）も容易に電動化することができ、コストの低減及び意匠性の向上が図れる。
【００２３】
図６は本発明をたてすべり窓に適用した実施の形態を示す概略的縦断面図、図７は同概略的横断面図、図８は電動ユニットの取付座を示す図である。本実施の形態において、前記実施の形態と同一部分は同一参照符号を付して説明を省略する。図６ないし図７において、１Ｃは窓装置の他の例であるたてすべり窓で、このたてすべり窓１Ｃは建物の躯体２の開口部に取付けられる上枠３ａ、下枠３ｂ及び左右の縦枠３ｃ，３ｄからなる枠体（サッシ枠）３と、該枠体３内に垂直軸回りに回動開閉自在に設けられた遮蔽体である障子４Ｃと、該障子４Ｃを開閉するリンク機構（図示省略）とを備えている。
【００２４】
前記たてすべり窓１Ｃは手の届き難い高所に取付けられている。このたてすべり窓１Ｃには各種の窓装置に適用可能な電動ユニット６が取付けられている。前記たてすべり窓１Ｃ自体の構成は既存のものと略同じであるため、その詳細な説明は省略することとし、電動ユニット６の構成について詳述する。この電動ユニット６は、前記枠体３の室内面具体的には左右何れかの縦枠（図示例では右側）３ｄの室内面に取付けられるホルダ部７と、該ホルダ部７に回動自在に設けられ各種の窓装置のリンク機構（本例ではたてすべり窓用のリンク機構）に対応した動きを与えるアーム８を有するウォームホイール９と、該ウォームホイール９に噛合するウォームギヤ１０を回転駆動する電動部１１とを備えている。
【００２５】
既存のたてすべり窓１Ｃに電動ユニット６を取付ける場合、前記ホルダ部７は前記一方の縦枠３ｄの室内面に取付座板（取付スぺーサともいう）１２を介して取付けられることが好ましい。既存のたてすべり窓１Ｃの縦枠３ｄの室内面、具体的には縦枠３ｄに形成されたリブ１３の室内面には、直接または断熱カバー材３７を介して間接的に取付台座３８取付けられ、該取付台座３８に手動式の操作部（オペレータ）が取付けられ、当該取付台座３８には操作部用の図示しない開口部及び取付孔が設けられている。また、リブ１３には補強用の裏板１４が取付けられている。前記取付座板１２には、図８に示すように、前記取付台座３８の開口部に対応する開口部１５と、前記取付孔に固着具であるネジ（ビス）１６を螺入して取付座板１０を固定するための孔部１７と、取付座板１２に対してホルダ部７を固定するためのネジ１８を螺入するための雌ネジ孔１９が設けられている。図８中、３９は取付座板１２のホルダ部当接面に設けられたシール材である。
【００２６】
前記アーム８は、ウォームホイール９の回動をたてすべり窓のリンク機構の運動方向に変換するもので、図示例ではウォームホイール９に固定された一本のアームからなっている。アーム８は、該アーム８の先端部が既存の手動式操作部のアームと同様に所定の軌跡２９Ｃで動くように設計されている。本実施の形態のたてすべり窓においても、前記実施の形態と同様の効果を奏することができる。
【００２７】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば本発明は、ダブルガラスルーバー窓１Ａやオーニング窓１Ｂにも適用可能である。ダブルガラスルーバー窓１Ａ自体の構成やオーニング窓１Ｂ自体の構成は既存のものと同じであるため説明を省略する。
【図面の簡単な説明】
【００２８】
【図１】本発明をガラスルーバー窓に適用した実施の形態を示す概略的縦断面図である。
【図２】同概略的横断面図である。
【図３】取付座を示す図である。
【図４】電動ユニットを示す図で、（ａ）は縦断面図、（ｂ）は正面図である。
【図５】電動ユニットのホルダ部組立図である。
【図６】本発明をたてすべり窓に適用した実施の形態を示す概略的縦断面図である。
【図７】同概略的横断面図である。
【図８】取付座を示す図である。
【図９】電動ユニットシステムの構成を示す図である。
【図１０】電動ユニットシステムの仕様を説明する図である。
【符号の説明】
【００２９】
１  ガラスルーバー窓（窓装置）
３  枠体
３ａ  上枠
３ｂ  下枠
３ｃ、３ｄ  縦枠
４  ガラスルーバー（遮蔽体）
５  リンク機構
６  電動ユニット
７  ホルダ部
８  アーム
９  ウォームホイール
１０  ウォームギヤ
１１  電動部
１Ａ  たてすべり窓（窓装置）
４Ａ  障子（遮蔽体）
【図１】
2005089980.tif 000003
【図２】
2005089980.tif 000004
【図３】
2005089980.tif 000005
【図４】
2005089980.tif 000006
【図５】
2005089980.tif 000007
【図６】
2005089980.tif 000008
【図７】
2005089980.tif 000009
【図８】
2005089980.tif 000010
【図９】
2005089980.tif 000011
【図１０】
2005089980.tif 000012